(57)【特許請求の範囲】
【請求項１】
外装部材の幅方向に離間して外側方向に延出される一対の支持部材と、
前記支持部材に載置されて着脱可能に支持される受皿とを備えた飲料供給装置において、
前記支持部材は、前記外装部材の前面側に着脱可能に取り付けられ、外装部材の外側方向に延出される延出部を有する受皿押さえ部材を一体に備えており、
前記受皿押さえ部材は、前記受皿が配置された場合に、該受皿の外装部材側端縁部の所定位置上面に前記延出部が近接するように設けられていることを特徴とする飲料供給装置。
【請求項２】
前記受皿押さえ部材は、前記延出部の外装部材側基端部から下方向に延出される平板部を有し、
前記受皿は、前記平板部に対向する位置に形成されて該平板部が嵌合される凹部を有し、
該受皿押さえ部材は、前記平板部を介して外装部材の外壁部に固着されることを特徴とする請求項１に記載の飲料供給装置。
【発明の詳細な説明】
【０００１】
【発明の属する技術分野】
本発明は、外装部材の外側に延出される一対の支持部材に載置されて着脱可能に支持される受皿を備えた飲料供給装置に関し、特に、受皿の外装部材側端縁部の所定位置上面に近接する延出部を有する受皿押さえ部材を設けることによって、受皿のガタツキを無くすることができる飲料供給装置に関するものである。
【０００２】
【従来の技術】
従来より、ビール等の飲料を冷却して供給する飲料供給装置について種々提案されている。
例えば、実開平６−６９１９９号公報に記載された飲料注出装置の受皿構造では、装置本体に配設した飲料供給源と、この飲料供給源に接続し、前記本体の下方前側に位置する注出ノズルとを備え、前記飲料供給源から注出ノズルに注出した飲料を、該ノズルの下方に臨ませたコップ等の受容器に供給するようにした飲料注出装置において、 前記装置本体に幅方向に離間して高さ調節自在に配設されると共に、該本体の前面側に延出する支持部を形成した一対の支持手段と、前記支持手段の支持部に幅方向への移動を規制された状態で着脱自在に載置され、前記受容器がその上面に載置される受皿と、 前記受皿に形成され、前記支持部に形成した溝部に嵌挿されて、該受皿の前後への移動を規制する規制部とから構成されている。
これにより、装置本体に高さ調節自在に配設した支持手段に受皿が支持されているので、受容器の高さ寸法の変更等に容易に対応し得る。従って、注出ノズルから供給される飲料の泡立ちおよび飛散を抑制することができ、飲料の飛沫により周囲が汚れるのを有効に防止し得る。また受皿の取外しおよび取付けは極めて簡単であるから、該受皿の清掃を簡単かつ確実に行なうことができ、常に衛生的に保ち得る。更に、受皿は支持手段に対して水平方向の移動が規制されているため、該受皿が支持手段から容易に脱落するのを防止し得る。更にまた、構成が簡単であるので、低コストで提供することができる。
【０００３】
【発明が解決しようとする課題】
しかしながら、上述した実開平６−６９１９９号公報に記載された飲料注出装置の受皿構造においては、受皿は支持手段の支持部に載置されているだけであるため、受皿の形状によっては上下のガタツキが発生し、受皿の前側角部に受容器を置いた場合に、受容器が倒れるおそれがあるという問題がある。
【０００４】
そこで、本発明は、上述した問題点を解決するためになされたものであり、受皿の外装部材側端縁部の所定位置上面に近接する延出部を有する受皿押さえ部材を設けることによって、受皿のガタツキを無くすることができる飲料供給装置を提供することを目的とする。
【０００５】
【課題を解決するための手段】
前記目的を達成するために、請求項１に係る飲料供給装置は、外装部材の幅方向に離間して外側方向に延出される一対の支持部材と、前記支持部材に載置されて着脱可能に支持される受皿とを備えた飲料供給装置において、前記支持部材は、前記外装部材の前面側に着脱可能に取り付けられ、外装部材の外側方向に延出される延出部を有する受皿押さえ部材を一体に備えており、前記受皿押さえ部材は、前記受皿が配置された場合に、該受皿の外装部材側端縁部の所定位置上面に前記延出部が近接するように設けられていることを特徴とする。
【０００６】
【０００７】
また、請求項２に係る飲料供給装置は、請求項１に記載の飲料供給装置において、前記受皿押さえ部材は、前記延出部の外装部材側基端部から下方向に延出される平板部を有し、前記受皿は、前記平板部に対向する位置に形成されて該平板部が嵌合される凹部を有し、該受皿押さえ部材は、前記平板部を介して外装部材の外壁部に固着されることを特徴とする。
【０００８】
【０００９】
また、請求項２に記載の飲料供給装置において、前記平板部は貫通孔を有し、前記貫通孔を介して外装部材の表面部に螺設されるのが好ましい。これにより、外装部材の外壁面に結露した露や該外壁面に付着したビール等の飲料水が滴下した場合は、受皿押さえ部材の延出部によって受皿に案内されるため、結露水等の平板部のビス等への滴下を確実に防止することができる飲料供給装置を提供することができる。
【００１０】
【００１１】
【発明の実施の形態】
以下、本発明に係る飲料供給装置について具体化した第１及び第２実施形態を図面に基づいて詳細に説明する。
先ず、第１実施形態に係る飲料供給装置の概略構成について図１乃至図３に基づいて説明する。図１は第１実施形態に係る飲料供給装置の概略構成を示す外観斜視図である。図２は第１実施形態に係る飲料供給装置の受皿の取り付けを説明する外観斜視図である。図３は第１実施形態に係る飲料供給装置の外装ケースを取り外した状態を示す外観斜視図である。
尚、飲料供給装置には、ビール等を貯留する図示しない飲料タンクが飲料供給管を介して接続されており、また、この飲料タンクは図示しない炭酸ガスボンベにより常時加圧されている。従って、飲料タンク内のビール等は、飲料供給管を介して飲料供給装置に圧送される。
【００１２】
図１に示すように、飲料供給装置１は、装置本体２（図３参照）の外側を外装部材としての外装ケース３によって覆われると共に、その上側は蓋部材４によって覆われている。また、外装ケース３の右側面部には、ビール等の飲料を供給する不図示の飲料供給管が接続される一対の供給口５、５が設けられている。そして、装置本体２の下面の４箇所（図１中では３箇所が示されている。）において脚部材６が固設されており、飲料供給装置１はこれらの脚部材６を介してテーブル等の上に配置されている。また、飲料供給装置１の前面上部には、左右一対の注出コック８、８が取り付けられている。また、各注出コック８、８の上部には、内部にＤＣモータ等の駆動装置設けられて前面部に配置される操作ボタンを押すことにより、該各注出コック８、８の操作レバーを作動させる略箱体状の一対の操作部９、９が設けられている。また、各注出コック８、８の下側には、ビール等の飲料が放出供給される容器が載置される一対の容器受け台１０、１０が取り付けられている。更に、この容器受け台１０、１０の下側には、上面にスノコ１１が載置される受皿１２が取り付けられている。
【００１３】
図２に示すように、この受皿１２は、外装ケース３の前面下部の幅方向に離間して外側方向に延出されるようにビス止めによって取り付けられる後述の一対の左支持部材１３Ａ（図４参照）及び右支持部材１３Ｂ（図５参照）に前面側から載置されて、着脱自在に取り付けられている。
【００１４】
また、図３に示すように、装置本体２は、冷却水を貯留した水槽１５と、この水槽１５の下方にはコンプレッサ、凝縮器、及び凝縮器を冷却する冷却ファン等から構成される冷凍ユニット１６が設けられて水槽１５内の冷却水を銅製の蒸発管１７を介して冷却するように構成されている。この蒸発管１７は、水槽１５の内壁部に取付具を介して螺旋状に取り付けられている。そして、該蒸発管１７に下側の冷凍ユニット１６から冷媒が循環され、冷媒が蒸発する際に冷却水との間で熱交換を行って冷却水を冷却して、蒸発管１７の周囲に氷を形成する作用を行う。また、水槽１５の右側側面部には、供給側端部が一対の各供給口５、５に接続される一対のステンレスパイプ製の飲料パイプ１９、１９が埋設されている。そして、該飲料パイプ１９、１９は、水槽１５の上端部から導出されて、各々ステンレスパイプ製の飲料冷却管２０、２０に接続されている。この各飲料冷却管２０、２０は、螺旋状に形成されて、水槽１５内の蒸発管１７の内側に取付具を介して取り付けられて、各飲料パイプ１９、１９から圧送されたビール等の飲料は、各飲料冷却管２０、２０の下側から上側に送出されるとともに、冷却水によって冷却される。一方、この各飲料冷却管２０、２０の注出側端部は、各注出コック８、８の注出端部に接続され、冷却されたビール等の飲料は、各注出コック８、８を介して容器等に注出される。
【００１５】
また、水槽１５の上端の開口部には、ステンレス鋼板製の略長方形の支持板２２が横に架け渡されてビス止めにより取り付けられ、該支持板２２の略中央部の上面には、ＡＣ／ＤＣモータより構成される撹拌モータ２３がビス止めによって固定されている。そして、この撹拌モータ２３の回転軸は、飲料冷却管２０の略中心軸上に配置されると共に、水槽１５の深さの約半分の位置まで延出されている。また、この回転軸の先端部には、不図示のプロペラが装着されて、水槽１５内の冷却水を下方に向けて流動させるように構成されている。
また、回転軸及びプロペラと各飲料冷却管２０、２０との間には略円筒状に巻回されるステンレス製又は硬質合成樹脂製等の網状の網部材２５が、支持板２２の下面からプロペラよりも少し深い位置まで覆うように取り付けられている。これにより、蒸発管１７の回りに形成される氷が剥離しても、回転軸やプロペラに当たるの防ぐことができる。
【００１６】
次に、受皿１２を支持するステンレス鋼板製の左支持部材１３Ａと右支持部材１３Ｂとについて図４及び図５に基づいて説明する。図４は第１実施形態に係る飲料供給装置１の左支持部材１３Ａを示す図で、（Ａ）は正面図、（Ｂ）は右側面図である。図５は第１実施形態に係る飲料供給装置１の右支持部材１３Ｂを示す図で、（Ａ）は左側面図、（Ｂ）は正面図である。
【００１７】
図４に示すように、左支持部材１３Ａは、後述のように受皿１２の左側端縁部の下面が載置される略横長四角形の支持部２７と、該支持部２７の基端縁部（図４（Ｂ）中、右端縁部）から略直角に内側方向（図４（Ａ）中、右側方向）に延出されると共に上端縁部が所定長さ上方向に延出される縦長四角形の取付部２８と、該取付部２８の上端縁部から略直角に前側方向（図４（Ｂ）中、左側方向）へ所定長さ（第１実施形態では、板厚の約５倍の長さ）延出されて、後述のように受皿１２の後端縁部の左側を押さえる押え部２９が形成されている。また、支持部２７の前端縁部（図４（Ｂ）中、左端縁部）は上方に所定高さ延出されて、後述のように受皿１２の左側端縁部の下面に形成される段差凹み部４７（図８参照）が嵌合される段差部３０が形成されている。この段差部３０の前後方向（図４（Ｂ）中、左右方向）の長さ寸法は、受皿１２の左側端縁部に形成される段差凹み部４７の前後方向の長さにほぼ等しく形成されている。また、取付部２８には、上下方向の中心線上にビス止め用の各貫通孔２８Ａ、２８Ａが穿設されている。従って、左支持部材１３Ａは、この各貫通孔２８Ａ、２８Ａを介して飲料供給装置１の前面部下方の左側にビス止めによって、押え部２９を上側にして取り付けられる。
【００１８】
また、図５に示すように、右支持部材１３Ｂは、後述のように受皿１２の右側端縁部の下面が載置される略横長四角形の支持部３２と、該支持部３２の基端縁部（図５（Ａ）中、左端縁部）から略直角に内側方向（図５（Ｂ）中、左側方向）に延出されると共に上端縁部が所定長さ上方向に延出される縦長四角形の取付部３３と、該取付部３３の上端縁部から略直角に前側方向（図５（Ａ）中、右側方向）へ所定長さ（第１実施形態では、板厚の約５倍の長さ）延出されて、後述のように受皿１２の後端縁部の右側を押さえる押え部３４が形成されている。また、支持部３２の前端縁部（図５（Ａ）中、右端縁部）は上方に所定高さ延出されて、後述のように受皿１２の右側端縁部の下面に形成される段差凹み部４７が嵌合される段差部３５が形成されている。この段差部３５の前後方向（図５（Ａ）中、左右方向）の長さ寸法は、受皿１２の右側端縁部に形成される段差凹み部４７の前後方向の長さにほぼ等しく形成されている。また、取付部３３には、上下方向の中心線上にビス止め用の各貫通孔３３Ａ、３３Ａが穿設されている。従って、右支持部材１３Ｂは、この各貫通孔３３Ａ、３３Ａを介して飲料供給装置１の前面部下方の右側にビス止めによって、押え部３４を上側にして取り付けられる。
尚、左支持部材１３Ａ及び右支持部材１３Ｂは、ビス止めだけでなく、ロウ付けや溶接等によって外装ケース３の外壁部に取り付けてもよい。また、各押え部２９、３４及び各平板部２８、３３は、受皿押さえ部材を構成する。また、各押え部２９、３４は、延出部として機能する。
【００１９】
次に、受皿１２の概略構成について図６乃至図８に基づいて説明する。図６は第１実施形態に係る飲料供給装置１の前面に設けられる受皿１２の概略構成を示す外観斜視図である。図７は第１実施形態に係る飲料供給装置１の前面に設けられる受皿１２を示す図で、（Ａ）は平面図、（Ｂ）は取付側の正面図である。図８は図７（Ａ）のＡ−Ａ断面を示す概略断面図である。
図６乃至図８に示すように、ステンレス鋼板製の受皿１２は、下側方向に膨出する水平断面略四角形の凹部３８の上端縁部の周囲（４辺）には、略直角に外側方向に折曲された水平縁部３９が形成されている。また、該水平縁部３９の周囲（４辺）には、上側方向に所定高さ（第１実施形態では、スノコ１１の厚さよりも少し大きい高さである。）略直角に折曲される側壁部４０が設けられると共に、該側壁部４０の周囲（４辺）には、略直角に外側方向に折曲された水平縁部４１が形成されている。また、この水平縁部４１の前側端縁部（図７（Ａ）中、上側の１辺）と左右の端縁部（図７（Ａ）中、左右の２辺）とには、略垂直に下側方向に折り曲げられて凹部３８の外側周囲の約上半分の高さを覆う側壁部４２が形成されている。
これにより、凹部３８の上端部に形成される水平縁部３９及び側壁部４０によって、スノコ１１が位置規制されて載置される段差部が形成される。また、凹部３８の左右外側面と側壁部４２の左右内側面との間に画成された各空間４４、４５を後述のように各支持部材１３Ａ、１３Ｂに臨ませることにより、受皿１２は各支持部材１３Ａ、１３Ｂによって支持される。
【００２０】
また、凹部３８の左右２辺の水平縁部３９は、各辺に沿って所定深さの各段差凹み部４７、４７が前後方向（図７（Ａ）中、上下方向）に形成されている。この各段差凹み部４７、４７の前側端縁部（図８中、右側端縁部）の下面部の段差高さ寸法は、上記各支持部材１３Ａ、１３Ｂの各段差部３０、３５の段差高さ寸法にほぼ等しく形成されている。また、各段差凹み部４７、４７の下面側の前端縁部から受皿１２の後側端縁部（図７（Ａ）中、下側端縁部）までの距離寸法は、各支持部材１３Ａ、１３Ｂの各段差部３０、３５の前後方向（図４（Ｂ）及び図５（Ａ）の左右方向）の長さ寸法にほぼ等しく形成されている。更に、各段差凹み部４７、４７の下面から水平縁部４１の上面までの高さ寸法は、各支持部材１３Ａ、１３Ｂの各段差部３０、３５から各押え部２９、３４の下面までの高さ寸法にほぼ等しく又は少し大きく（例えば、約１ｍｍ大きく）形成されている。これにより、後述のように受皿１２の各段差凹み部４７、４７を各支持部材１３Ａ、１３Ｂの各段差部３０、３５に載置した場合は、受皿１２の水平縁部４１の後側端縁部の上面が各支持部材１３Ａ、１３Ｂの各押え部２９、３４の下面に近接する（図１０参照）。
【００２１】
また、凹部３８の左右２辺の水平縁部３９に対向する水平縁部４１の後側端縁部（図７（Ａ）中、下側端縁部）には、各切欠部４９、４９が形成されている。この各切欠部４９、４９は、上記各支持部材１３Ａ、１３Ｂの板厚にほぼ等しく又は少し大きい（例えば、約１ｍｍ大きい）切欠深さ寸法で、且つ各支持部材１３Ａ、１３Ｂの各取付部２８、３３の幅寸法にほぼ等しい左右方向幅寸法に形成されている。尚、この各切欠部４９、４９の左右方向の距離寸法は、各支持部材１３Ａ、１３Ｂの取り付け時における、左右方向の距離寸法にほぼ等しく形成されている。
これにより、後述のように受皿１２を各支持部材１３Ａ、１３Ｂに載置して、受皿１２の水平縁部４１の後側端縁部を外装ケース３に当接させた場合は、受皿１２の水平縁部４１の後側端縁部に形成される各切欠部４９、４９に各支持部材１３Ａ、１３Ｂの各取付部２８、３３が嵌合されて（図９参照）、該受皿１２の左右方向の位置規制がされて載置される。
ここで、各切欠部４９、４９は、凹部として機能する。
【００２２】
次に、上記のように構成された受皿１２及び各支持部材１３Ａ、１３Ｂの飲料供給装置１への取り付けについて図９及び図１０に基づいて説明する。図９は第１実施形態に係る飲料供給装置１の前面に受皿１２及び各支持部材１３Ａ、１３Ｂを取り付けた状態の該受皿１２の右奥角部の要部拡大斜視図である。図１０は第１実施形態に係る飲料供給装置１の前面に受皿１２及び各支持部材１３Ａ、１３Ｂを取り付けた状態を示す図で、（Ａ）は受皿１２の右側側断面図、（Ｂ）は受皿１２の右奥側後端縁部の要部拡大右側側断面図である。尚、図９及び図１０では、受皿１２の右奥側端縁部が右支持部材１３Ｂの押え部３４によって押さえられているが、該受皿１２の左奥側端縁部も左支持部材１３Ａの押え部２９によって同様に押さえられている。
【００２３】
図９及び図１０に示すように、各支持部材１３Ａ、１３Ｂは、外装ケース３の前面部に各ビス５１、５１、５１、５１によって固着される（図１０（Ａ）中、右支持部材１３Ｂが示されている。）。そして、受皿１２は、凹部３８の左右外側面と側壁部４２の左右内側面との間に画成された各空間４４、４５を各支持部材１３Ａ、１３Ｂに臨ませつつ、後側方向（図１０（Ａ）中、右側方向）に挿入することにより、該受皿１２の水平縁部４１の後側端縁部に形成される各切欠部４９、４９が、各支持部材１３Ａ、１３Ｂの各取付部２８、３３に嵌合されると共に、受皿１２の各段差凹み部４７、４７の下面が、各支持部材１３Ａ、１３Ｂの各支持部２７、３２に載置される。これにより、受皿１２は前後方向の位置規制がされて各支持部材１３Ａ、１３Ｂ上に載置される。また、この受皿１２の前側を少し持ち上げつつ、前側方向に動かすことにより、飲料供給装置１から容易に取り外すことができる。
【００２４】
また、受皿１２を各支持部材１３Ａ、１３Ｂに載置して、受皿１２の水平縁部４１の後側端縁部を外装ケース３に当接させた場合は、各切欠部４９、４９に対応する水平縁部４１の上面部は、各支持部材１３Ａ、１３Ｂの各押え部２９、３４の下面側の上下方向に所定隙間（例えば、約１ｍｍの隙間）形成して位置する。また、受皿１２の水平縁部４１の後側端縁部を外装ケース３の前面部に当接させた場合には、各切欠部４９、４９の底部（図１０（Ｂ）中、左端部）と各支持部材１３Ａ、１３Ｂの各取付部２８、３３との間の前後方向に所定隙間（例えば、約１ｍｍの隙間）が形成されている。これにより、受皿１２の前端縁部（図１０（Ａ）中、左端縁部）に下側方向の荷重が加わった場合に、該受皿１２の後端縁部（図１０（Ａ）中、右端縁部）は、各支持部材１３Ａ、１３Ｂの各押え部２９、３４の下面に当接するため、受皿１２の後端縁部の浮き上がりを防止することができる。また、各支持部材１３Ａ、１３Ｂの各押え部２９、３４は、水平縁部４１の前端縁部（図１０（Ａ）中、左端縁部）よりも後側（図１０中、右側）にあるため、スノコ１１の取り付け、取り外しを容易に行うことができる。
尚、各支持部材１３Ａ、１３Ｂの各押え部２９、３４と受皿１２の水平縁部４１の上面部及び後端部との間には、各々上下方向及び前後方向に所定隙間が形成されているが、当接する構成にしてもよい。
【００２５】
以上詳細に説明した通り第１実施形態に係る飲料供給装置１は、各支持部材１３Ａ、１３Ｂが、外装ケース３の前面部に各ビス５１、５１、５１、５１によって固着される。そして、受皿１２は、凹部３８の左右外側面と側壁部４２の左右内側面との間に画成された各空間４４、４５を各支持部材１３Ａ、１３Ｂに臨ませつつ、後側方向に挿入することにより、該受皿１２の水平縁部４１の後側端縁部に形成される各切欠部４９、４９が、各支持部材１３Ａ、１３Ｂの各取付部２８、３３に嵌合されると共に、受皿１２の各段差凹み部４７、４７の下面が、各支持部材１３Ａ、１３Ｂの各支持部２７、３２に載置される。また、各切欠部４９、４９が形成される水平縁部４１の上面部は、各支持部材１３Ａ、１３Ｂの各押え部２９、３４の下面側に所定隙間を形成して位置する。
【００２６】
従って、受皿１２の前側端縁部や前側角部等が下方向に押さえられて、該受皿１２の外装ケース３側の端縁部が上方向に持ち上げられた場合には、該外装ケース３側の端縁部の各切欠部４９、４９の上面に近接している各支持部材１３Ａ、１３Ｂの各押え部２９、３４に当接するため、受皿１２が斜めに傾くのを防止することができて、受皿１２のガタツキを無くすることができる。
また、各支持部材１３Ａ、１３Ｂは、ステンレス鋼板を折り曲げて形成されるため、該各支持部材１３Ａ、１３Ｂの各段差部３０、３５と各押え部２９、３４との間の高さ寸法を正確に形成することが容易にできて、受皿１２のガタツキをより容易に無くすることができる。
また、各支持部材１３Ａ、１３Ｂは、ステンレス鋼板を折り曲げて形成されるため、構成が簡単になり製造コストの削減化を図ることができる。また、受皿１２が各支持部材１３Ａ、１３Ｂに載置された場合には、受皿１２の各切欠部４９、４９に各支持部材１３Ａ、１３Ｂの各取付部２８、３３が嵌合されるため、受皿１２の左右方向のガタツキを確実に防止することができる。また、各支持部材１３Ａ、１３Ｂを取り付ける各ビス５１、５１、５１、５１の上側は、該各支持部材１３Ａ、１３Ｂの各押え部２９、３４によって覆われているため、外装ケース３の前面部につく結露水やビール等の飲料が該ビス５１、５１、５１、５１に滴下するのを防止することができる。また、受皿１２の取り外し及び取り付けは極めて簡単であるから、該受皿１２の清掃を簡単かつ確実に行なうことができ、常に衛生的に保つことができる。更に、受皿１２及び各支持部材１３Ａ、１３Ｂの構成が簡単であるので、飲料供給装置１の製造コストの削減化を図ることができる。
【００２７】
次に、第２実施形態に係る飲料供給装置について説明する。第２実施形態に係る飲料供給装置は、第１実施形態に係る飲料供給装置１の構成とほぼ同じ構成である。但し、第２実施形態に係る飲料供給装置の受皿、左支持部材、及び右支持部材の構成は、第１実施形態に係る飲料供給装置１の受皿１２、左支持部材１３Ａ及び右支持部材１３Ｂの構成と異なっている。
ここで、第２実施形態に係る飲料供給装置の概略構成について図１１乃至図１５に基づいてに基づいて説明する。図１１は第２実施形態に係る飲料供給装置の概略構成を示す外観斜視図である。図１２は第２実施形態に係る飲料供給装置の左支持部材を示す図で、（Ａ）は正面図、（Ｂ）は右側面図である。図１３は第２実施形態に係る飲料供給装置の右支持部材を示す図で、（Ａ）は左側面図、（Ｂ）は正面図である。図１４は第２実施形態に係る飲料供給装置の前面に設けられる受皿を示す図で、（Ａ）は平面図、（Ｂ）は取付側の正面図である。図１５は第２実施形態に係る飲料供給装置の前面に受皿及び各支持部材を取り付けた状態を示す図で、（Ａ）は受皿の右側側断面図、（Ｂ）は受皿の右奥側後端縁部の要部拡大右側側断面図である。
尚、図１１においては、説明のために各容器受け台１０、１０は取り外している。また、図１１乃至図１５において上記第１実施形態に係る飲料供給装置１と同一符号は、該飲料供給装置１と同一あるいは相当部分を示すものである。
【００２８】
図１１に示すように、第２実施形態に係る飲料供給装置５５は、装置本体２（図３参照）の外側を外装ケース３によって覆われると共に、その上側は蓋部材４によって覆われている。また、外装ケース３の右側面部には、ビール等の飲料を供給する不図示の飲料供給管が接続される一対の供給口５、５が設けられている。そして、装置本体２の下面の４箇所（図１１中では２箇所が示されている。）において脚部材６が固設されており、飲料供給装置５５はこれらの脚部材６を介してテーブル等の上に配置されている。また、飲料供給装置５５の前面上部には、左右一対の注出コック８、８が取り付けられている。また、各注出コック８、８の上部には、内部にＤＣモータやスクリューネジ等が配置されて前面部に設けられる操作ボタンを押すことにより、該各注出コック８、８の操作レバーを作動させる略箱体状の一対の操作部９、９が設けられている。また、各注出コック８、８の下側には、ビール等の飲料が放出供給される容器が載置される一対の容器受け台１０、１０（不図示）が取り付けられる。更に、この不図示の容器受け台１０、１０の下側には、上面にスノコ１１が載置される受皿５６が取り付けられている。
【００２９】
この受皿５６は、上記受皿１２と同様に、外装ケース３の前面下部の幅方向に離間して外側方向に延出されるようにビス止めによって取り付けられる後述の一対の左支持部材６０Ａ（図１２参照）及び右支持部材６０Ｂ（図１３参照）に前面側から載置されて、着脱自在に取り付けられている。
【００３０】
また、受皿５６の後端縁部の上側には、スノコ１１の左右横幅にほぼ等しい幅寸法の横長な樋部材５７が取付けられ、後述のように該受皿５６の後端縁部が押さえられている（図１５参照）。このステンレス鋼板製の樋部材５７の基端縁部は、外装ケース３の前面部に略水平にロウ付けや溶接等によって取り付けられると共に、左右両端縁部は、逆ハの字状に外側斜め上方向に延出されて、基端縁部が外装ケース３の前面部にロウ付けや溶接等によって取り付けられている。また、樋部材５７の基端縁部は、コーキング剤５７Ａ（図１５参照）等によってシールされている。これにより、外装ケース３の前面部についた結露水やビール等の飲料は、該前面部に沿って流れ、樋部材５７を介して受皿５６に流れるように構成されている。
【００３１】
次に、受皿５６を支持するステンレス鋼板製の左支持部材６０Ａと右支持部材６０Ｂとについて図１２及び図１３に基づいて説明する。図１２に示すように、先ず、左支持部材６０Ａは、後述のように受皿５６の段差凹み部４７の下面が載置される略横長四角形の支持部２７と、該支持部２７の基端縁部（図１２（Ｂ）中、右端縁部）から略直角に内側方向（図１２（Ａ）中、右側方向）に延出される縦長四角形の取付部６１が形成されている。また、支持部２７の前端縁部（図１２（Ｂ）中、左端縁部）は上方に所定高さ延出されて、後述のように受皿５６の左側端縁部の下面に形成される段差凹み部４７が嵌合される段差部３０が形成されている。この段差部３０の前後方向（図１２（Ｂ）中、左右方向）の長さ寸法は、受皿５６の左側端縁部に形成される段差凹み部４７の前後方向の長さにほぼ等しく形成されている。また、取付部６１には、上下方向の中心線上にビス止め用の各貫通孔６１Ａ、６１Ａが穿設されている。従って、左支持部材６０Ａは、この各貫通孔６１Ａ、６１Ａを介して飲料供給装置５５の前面部下方の左側にビス止めによって、段差部３０を上側にして取り付けられる。尚、左支持部材６０Ａは、ビス止めだけでなく、ロウ付けや溶接等によって取り付けてもよい。
【００３２】
また、図１３に示すように、右支持部材６０Ｂは、後述のように受皿５６の段差凹み部４７の下面が載置される略横長四角形の支持部３２と、該支持部３２の基端縁部（図１３（Ａ）中、左端縁部）から略直角に内側方向（図１３（Ｂ）中、左側方向）に延出される縦長四角形の取付部６２が形成されている。また、支持部３２の前端縁部（図１３（Ａ）中、右端縁部）は上方に所定高さ延出されて、後述のように受皿５６の右側端縁部の下面に形成される段差凹み部４７が嵌合される段差部３５が形成されている。この段差部３５の前後方向（図１３（Ａ）中、左右方向）の長さ寸法は、受皿５６の右側端縁部に形成される段差凹み部４７の前後方向の長さにほぼ等しく形成されている。また、取付部６２には、上下方向の中心線上にビス止め用の各貫通孔６２Ａ、６２Ａが穿設されている。従って、右支持部材６０Ｂは、この各貫通孔６２Ａ、６２Ａを介して飲料供給装置５５の前面部下方の右側にビス止めによって、段差部３５を上側にして取り付けられる。尚、右支持部材６０Ｂは、ビス止めだけでなく、ロウ付けや溶接等によって取り付けてもよい。
【００３３】
次に、受皿５６の概略構成について図１４に基づいて説明する。図１４に示すように、ステンレス鋼板製の受皿５６は、上記受皿１２とほぼ同じ構成であるが、後端縁部（図１４（Ａ）中、下端縁部）には、各切欠部４９、４９が形成されていない（図７参照）。従って、該受皿５６を各支持部材６０Ａ、６０Ｂに載置して奥側に挿入した場合には、受皿５６の後端縁部の左右方向全幅に渡って外装ケース３の前面部に当接される。
【００３４】
次に、上記のように構成された受皿５６及び各支持部材６０Ａ、６０Ｂの飲料供給装置５５への取り付けについて図１５に基づいて説明する。尚、左支持部材６０Ａも右支持部材６０Ｂと同様に、右支持部材６０Ｂに対して略水平になるように外装ケース３の前面部に取り付けられている。また、該各支持部材６０Ａ、６０Ｂの各支持部２７、３２の内側の距離寸法は、受皿５６の凹部３８の左右側壁部の上部の外側面の距離寸法にほぼ等しくなるように取り付けられている。図１５に示すように、各支持部材６０Ａ、６０Ｂは、外装ケース３の前面部に各ビス６５、６５、６５、６５によって固着される（図１５（Ａ）中、右支持部材６０Ｂが示されている。）。そして、受皿５６は、凹部３８の左右外側面と側壁部４２の左右内側面との間に画成された各空間４４、４５を各支持部材６０Ａ、６０Ｂに臨ませつつ、後側方向（図１５（Ａ）中、右側方向）に挿入することにより、受皿５６の各段差凹み部４７、４７の下面が、各支持部材６０Ａ、６０Ｂの各支持部２７、３２に載置される。これにより、受皿１２は左右方向及び前後方向の位置規制がされて各支持部材６０Ａ、６０Ｂ上に載置される。また、この受皿５６の前側を少し持ち上げつつ、前側方向に動かすことにより、飲料供給装置５５から容易に取り外すことができる。
【００３５】
また、受皿５６を各支持部材６０Ａ、６０Ｂに載置して、受皿５６の水平縁部４１の後側端縁部を外装ケース３の前面部に当接させた場合は、受皿５６の後端縁部の上面部は、樋部材５７の水平部分の下面に当接する。これにより、受皿５６の前端縁部（図１５（Ａ）中、左端縁部）に下側方向の荷重が加わった場合に、該受皿５６の後端縁部（図１５（Ａ）中、右端縁部）の浮き上がりを防止することができる。また、樋部材５７の水平部分の前端縁部（図１５中、左端縁部）は、水平縁部４１の前端縁部（図１５（Ａ）中、左端縁部）よりも後側（図１５中、右側）にあるため、スノコ１１の取り付け、取り外しを容易に行うことができる。
尚、樋部材５７の水平部分の前端縁部と受皿５６の後端縁部の上面部とは、当接しているが、所定隙間（例えば、約０．５ｍｍ〜１．０ｍｍの隙間）を形成するようにしてもよい。これにより、受皿５６の取り付け及び取り外しを更に容易に行うことができる。また、樋部材５７は、受皿押さえ部材及び樋部として機能する。
【００３６】
以上詳細に説明した通り第２実施形態に係る飲料供給装置５５は、各支持部材６０Ａ、６０Ｂが、外装ケース３の前面部に各ビス６５、６５、６５、６５によって固着される。また、該各支持部材６０Ａ、６０Ｂの各支持部２７、３２の内側の距離寸法は、受皿５６の凹部３８の左右側壁部の上部の外側面の距離寸法にほぼ等しくなるように取り付けられている。そして、受皿５６は、凹部３８の左右外側面と側壁部４２の左右内側面との間に画成された各空間４４、４５を各支持部材６０Ａ、６０Ｂに臨ませつつ、後側方向に挿入することにより、受皿５６の各段差凹み部４７、４７の下面が、各支持部材６０Ａ、６０Ｂの各支持部２７、３２に載置される。また、該受皿５６の水平縁部４１の後側端縁部を外装ケース３の前面部に当接させた場合は、受皿５６の後端縁部の上面部は、樋部材５７の水平部分の下面に当接する。
【００３７】
従って、受皿５６の前側端縁部や前側角部等が下方向に押さえられて、該受皿５６の外装ケース３側の端縁部が上方向に持ち上げられた場合には、外装ケース３の前面部に固着される樋部材５７に当接するため、受皿５６が斜めに傾くのを防止することができて、受皿５６のガタツキを無くすることができる。また、外装ケース３の前面に結露した露や付着したビール等の飲料が滴下した場合は、樋部材５７を介して受皿５６に案内されるため、結露水等の床面への滴下を確実に防止することができる。
また、各支持部材６０Ａ、６０Ｂは、ステンレス鋼板を折り曲げて形成されるため、構成が簡単になり製造コストの削減化を図ることができる。また、受皿５６が各支持部材６０Ａ、６０Ｂに載置された場合には、受皿５６の凹部３８の側壁部の外側面が各支持部材６０Ａ、６０Ｂの内側面に当接するため、受皿５６の左右方向のガタツキを確実に防止することができる。
また、各支持部材６０Ａ、６０Ｂを取り付ける各ビス６５、６５、６５、６５の上側は、樋部材５７によって覆われているため、外装ケース３の前面部につく結露水やビール等の飲料が該ビス６５、６５、６５、６５に滴下するのを防止することができる。また、受皿５６の取り外し及び取り付けは極めて簡単であるから、該受皿５６の清掃を簡単かつ確実に行なうことができ、常に衛生的に保つことができる。更に、受皿５６及び各支持部材６０Ａ、６０Ｂの構成が簡単であるので、飲料供給装置５５の製造コストの削減化を図ることができる。
【００３８】
尚、本発明は前記実施形態に限定されることはなく、本発明の要旨を逸脱しない範囲内で種々の改良、変形が可能であることは勿論である。例えば、以下のようにしてもよい。
（ａ）前記第２実施形態では、受皿５６を各支持部材６０Ａ、６０Ｂに載置したが、第１実施形態に係る受皿１２（後端縁部に切欠部４９を有する受皿１２）を載置する構成にしてもよい。これにより、部品の共通化を図ることができ、製造コストの削減化を図ることができる。
（ｂ）前記第２実施形態では、受皿５６を各支持部材６０Ａ、６０Ｂに載置したが、第１実施形態に係る受皿１２を載置すると共に、各支持部材６０Ａ、６０Ｂの各取付部６１、６２の上端縁部を上方に延出して、各切欠部４９、４９に嵌合される構成にしてもよい。これにより、受皿５６の左右方向の位置規制を、各取付部６１、６２の上端縁部と各切欠部４９、４９との嵌合によって規制することができる。即ち、各支持部材６０Ａ、６０Ｂの各支持部２７、３２の内側面と受皿１２の凹部３８の左右外側面との間に所定隙間を形成することができて、各支持部材６０Ａ、６０Ｂの取付作業を容易に行うことができると共に、該受皿１２の取り付け及び取り外しを容易に行うことができる。
（ｃ）前記第２実施形態では、樋部材５７は、側縦断面略四角形の細長い平板状であるが、外装ケース３側の基端縁部を上方に所定長さ延出した形状（側縦断面略逆くの字形）に形成して、この延出部を外装ケース３の前面部に溶接等によって取り付け、コーキング剤で基端縁部をシールする構成にしてもよい。これにより、外装ケース３の前面部に更に容易に取付けることができる。
【００３９】
【発明の効果】
以上説明した通り請求項１に係る飲料供給装置は、外装部材の幅方向に離間して外側方向に延出される一対の支持部材に、受皿が載置されて着脱可能に支持されている。また、受皿が配置された場合に、該受皿の外装部材側端縁部の所定位置上面に近接するように前記外装部材の外側方向に延出される延出部を有する受皿押さえ部材が設けられている。
これにより、受皿の前側端縁部や前側角部等が下方向に押さえられて、該受皿の外装部材側端縁部が上方向に持ち上げられた場合には、該外装部材側端縁部の所定位置上面に近接している受皿押さえ部材の延出部に当接するため、受皿が斜めに傾くのを防止することができて、受皿のガタツキを無くすることができる飲料供給装置を提供することができる。
【００４０】
また、支持部材は外装材の前面側に着脱自在に取り付けられ、前記受皿押さえ部材は、前記支持部材と一体に設けられているため、該受皿押さえ部材の延出部と支持部材の受皿支持部との間の高さ寸法を正確に形成することが容易にできて、受皿のガタツキをより容易に無くすることができる飲料供給装置を提供することができる。
【００４１】
また、請求項２に係る飲料供給装置は、請求項１に記載の飲料供給装置において、受皿押さえ部材は、延出部の基端部から下方向に延出される平板部を介して外装部材の外壁部に固着されている。また、受皿は、前記平板部に対向する位置に形成されて該平板部が嵌合される凹部を有している。これにより、受皿が配置された場合に、該受皿の凹部に受皿押さえ部材の平板部が嵌合されるため、受皿の左右方向のガタツキを確実に防止することができる飲料供給装置を提供することができる。
【００４２】
【図面の簡単な説明】
【図１】  第１実施形態に係る飲料供給装置の概略構成を示す外観斜視図である。
【図２】  第１実施形態に係る飲料供給装置の受皿の取り付けを説明する外観斜視図である。
【図３】  第１実施形態に係る飲料供給装置の外装ケースを取り外した状態を示す外観斜視図である。
【図４】  第１実施形態に係る飲料供給装置の左支持部材を示す図で、（Ａ）は正面図、（Ｂ）は右側面図である。
【図５】  第１実施形態に係る飲料供給装置の右支持部材を示す図で、（Ａ）は左側面図、（Ｂ）は正面図である。
【図６】  第１実施形態に係る飲料供給装置の前面に設けられる受皿の概略構成を示す外観斜視図である。
【図７】  第１実施形態に係る飲料供給装置の前面に設けられる受皿を示す図で、（Ａ）は平面図、（Ｂ）は取付側の正面図である。
【図８】  図７（Ａ）のＡ−Ａ断面を示す概略断面図である。
【図９】  第１実施形態に係る飲料供給装置の前面に受皿及び各支持部材を取り付けた状態の該受皿の右奥角部の要部拡大斜視図である。
【図１０】  第１実施形態に係る飲料供給装置の前面に受皿及び各支持部材を取り付けた状態を示す図で、（Ａ）は受皿の右側側断面図、（Ｂ）は受皿の右奥側後端縁部の要部拡大右側側断面図である。
【図１１】  第２実施形態に係る飲料供給装置の概略構成を示す外観斜視図である。
【図１２】  ２実施形態に係る飲料供給装置の左支持部材を示す図で、（Ａ）は正面図、（Ｂ）は右側面図である。
【図１３】  第２実施形態に係る飲料供給装置の右支持部材を示す図で、（Ａ）は左側面図、（Ｂ）は正面図である。
【図１４】  第２実施形態に係る飲料供給装置の前面に設けられる受皿を示す図で、（Ａ）は平面図、（Ｂ）は取付側の正面図である。
【図１５】  第２実施形態に係る飲料供給装置の前面に受皿及び各支持部材を取り付けた状態を示す図で、（Ａ）は受皿の右側側断面図、（Ｂ）は受皿の右奥側後端縁部の要部拡大右側側断面図である。
【符号の説明】
１、５５                             飲料供給装置
２                                   装置本体
３                                   外装ケース
１１                                 スノコ
１２、５６                           受皿
１３Ａ、６０Ａ                       左支持部材
１３Ｂ、６０Ｂ                       右支持部材
２７、３２                             支持部
２８、３３、６１、６２                 取付部
２９、３４                             押え部
３０、３５                             段差部
２８Ａ、３３Ａ、６１Ａ、６２Ａ       貫通孔
３８                                   凹部
３９、４１                             水平縁部
４０、４２                             側壁部
４７                                   段差凹み部
４９                                   切欠部
４４、４５                             空間部
５１、６５                             ビス
５７                                   樋部材
５７Ａ                                 コーキング剤
【図１】
0004554848.tif 000002
【図２】
0004554848.tif 000003
【図３】
0004554848.tif 000004
【図４】
0004554848.tif 000005
【図５】
0004554848.tif 000006
【図６】
0004554848.tif 000007
【図７】
0004554848.tif 000008
【図８】
0004554848.tif 000009
【図９】
0004554848.tif 000010
【図１０】
0004554848.tif 000011
【図１１】
0004554848.tif 000012
【図１２】
0004554848.tif 000013
【図１３】
0004554848.tif 000014
【図１４】
0004554848.tif 000015
【図１５】
0004554848.tif 000016